(57)【要約】  着座用家具に用いられるシートモジュールが記載されている。シートモジュールは、背もたれ（１）、シート（２）、及び連結要素（３）を備えている。背もたれ（１）は、連結要素の後縁の各側面に配置された後溝（７）に沿って移動するように構成されている。シート（２）の後部分は、背もたれ（１）に接続され、シート（２）の前部分は、連結要素の前縁の各側面に配置された前溝（９）に沿って移動するように構成されている。シートモジュールは、連結要素を支持部材又はベース（４）に接続する傾斜機構（１５−１９）を更に備えている。
2021500119.tif 000002
【特許請求の範囲】
【請求項１】
着座用家具に用いられるシートモジュールであって、前記シートモジュールは、背もたれ（１）、シート（２）、及び連結要素（３）を備え、前記連結要素（３）は、横断要素によって一緒に保持された２つの側壁を備え、前記連結要素の後端に配置された後溝（７）及び前記連結要素の前端に配置された前溝（９）を更に備え、前記後溝及び前溝（７，９）は、前記連結要素の各側壁に配置されており、前記背もたれ（１）は、前記後溝（７）内に係合して前記後溝（７）内において移動するように構成されたブラケット（５）を備え、前記シート（２）の後部分は、前記背もたれ（１）に接続され、前記シート（２）の前部分は、前記前溝（９）内において移動する摺動ユニット（２１，２３）に接続されている、シートモジュールにおいて、
前記連結要素は、前記後溝（７）内に位置する貫通孔（８）を備え、前記シートモジュールは、前記背もたれ（１）を前記連結要素（３）に係止するために、前記前記ブラケット（５）の貫通孔（２２）及び前記開口（８）を貫通するように構成された係止ロッド（１２）を更に備え、
前記摺動ユニットは、各端に摺動スリーブ（２３）を有するスライドロッド（２１）を備え、前記摺動スリーブ（２３）は、前記前溝（９）に係合するように構成され、
バネ（１３）が前記連結要素内の横断要素と前記スライドロッド（２１）との間に設けられており、
前記シート（２）は、前記係止ロッド（１２）を掴むように構成された後ノッチ（１０）及び前記スライドロッド（２１）を掴むように構成された前ノッチ（１１）を備える
ことを特徴とする、シートモジュール。
【請求項２】
前記後溝は、円弧状又は円形状切込みとして設けられており、前記ブラケット（５）は、前記連結要素（３）の前記溝（７）に係合するように構成された対応する円弧状又は円形状突起（６）を備え、前記前溝（９）は、円形状又は円弧状又は前記シートモジュールの前記前部の方を向く勾配を有する直線状の貫通溝として設けられている、請求項１に記載のシートモジュール。
【発明の詳細な説明】
【技術分野】
【０００１】
本発明は、着座用家具に関し、更に詳細には、単一チェアに用いられるか又は着座列を形成するように組立可能ないくつかのモジュールとして用いられるシートモジュール、並びにこのようなシートモジュールに特に好適な傾斜機構に関する。
【背景技術】
【０００２】
所謂リクライニングシートは、通常、背もたれの角度を変化させることを可能にする制御機構を装備している。シート及び背もたれは、大抵の場合、互いにヒンジ結合され、背もたれは、各側のアームレストに枢動可能に取付けられている。従って、ユーザーは、体を前後に押し出すことによって、背もたれの角度を変化させることができる。
【０００３】
特許文献１から、背もたれ及びシートの位置を前述のリクライニングシートにおけるのと同じように設定することができる着座用家具が知られている。しかし、この場合、機構の全体がシートの下方に隠れて配置されている。背もたれの仮想転回点は、背もたれがアームレストに固定される必要がないようように、設定されている。従って、この解決策は、アームレストのないチェア、例えば、ダイニングチェアに用いることができる。
【０００４】
また、ホイールを旋回させることによって又は背もたれをロック解除するレバーを操作することによって、背もたれ角度を変化させることができるオフィスチェアも知られている。しかし、この解決策では、背もたれは、前述の例におけるように、背もたれを連続的に調整することができない。何故なら、背もたれは、ユーザーがその調整を終えた時にロック位置に戻るからである。また、このようなチェアは、背もたれ及びシートをユニットとして傾斜させることを可能にする傾斜機能を有している場合がある。しかし、この特徴部もロック可能になっている。
【先行技術文献】
【特許文献】
【０００５】
【特許文献１】ノルウエー特許第３３５４０１号明細書
【発明の概要】
【発明が解決しようとする課題】
【０００６】
本発明の目的は、着座用家具に用いられるシートモジュールであって、合理的な製造に適するように設計され、いくつかの異なる品目の家具、例えば、チェア、ソファー、又は列状に連結された多重シートに用いることができる、シートモジュールを提供することにある。
【０００７】
この目的は、添付の請求項に記載されるシートモジュールによって達成される。
【課題を解決するための手段】
【０００８】
具体的には、本発明は、着座用家具に用いられるシートモジュールであって、シートモジュールは、背もたれ、シート、及び連結要素を備え、連結要素は、横断要素によって一緒に保持された２つの側壁を備え、連結要素の後端に配置された後溝及び連結要素の前端に配置された前溝を更に備え、後溝及び前溝は、連結要素の各側壁に配置されており、背もたれは、前記後溝内に係合して前記後溝内において移動するように構成されたブラケットを備え、シートの後部分は、背もたれに接続され、シートの前部分は、前記前溝内において移動する摺動ユニットに接続されている、シートモジュールを含んでいる。連結要素は、後溝内に位置する貫通開口を備え、シートモジュールは、背もたれを連結要素に係止するために、前記ブラケットの貫通孔及び前記開口を貫通するように構成された係止ロッドを更に備え、摺動ユニットは、各端に摺動スリーブを有するスライドロッドを備え、摺動スリーブは、前記前溝に係合するように構成され、バネが連結要素内の横断要素と前記スライドロッドとの間に設けられており、シートは、係止ロッドを掴むように構成された後ノッチ及びスライドロッドを掴むように構成された前ノッチを備えている。
【０００９】
この構成は、連結要素への背もたれの取付けを容易にし、シートモジュールの組立を著しく簡素化する。何故なら、シートを単に連結要素の適所にスナップ嵌合させればよいからである。バネは、２つの機能を有している。すなわち、バネは、摺動機能における最適なバランスを保つことを確実にし、ユーザーがシートモジュールから離れた時に背もたれを補強する。更に、シートモジュールがテーブルの周りに直立する多数のチェア又はソファの要素として用いられる時、背もたれの自動的に行われる後方配置が家具に対して常にきれいな印象を与えることが確実になる。
【００１０】
本発明の好ましい実施形態によれば、シートモジュールは、円弧状又は円形状切込みとして設けられた後溝を備え、前記ブラケットは、連結要素の溝に係合するように構成された対応する円弧状又は円形状突起を備え、前溝は、円形状又は円弧状又はシートモジュールの前部の方を向く勾配を有する直線状の貫通溝として設けられている。
【００１１】
以下、添付の図面を参照して、本発明について更に詳細に説明する。
【図面の簡単な説明】
【００１２】
【図１ａ．１ｂ】本発明によるシートモジュールが組み込まれたチェアの側面図である。
【図２】チェアに含まれる個々の要素を示す側面図である
【図３】チェアの構造を更に詳細に示す斜視図である。
【図４】本発明に含まれる傾斜ジョイントの詳細を示す斜視図である
【発明を実施するための形態】
【００１３】
以下の説明において、方向を示す用語、例えば、「前側」、「後側」、「上向き」、「下向き」、「前方に」、「後方に」、「前部」、「下向き突起」、等は、図面に示される使用時の自然な位置にあるシートモジュールに関連している。
【００１４】
図１ａ，１ｂは、本発明による背もたれ１、シート２、及び連結要素３を備えるシートモジュールが組み込まれたチェアを示している。連結要素３は、背もたれ及びシートを一緒に保持し、更に背もたれ及びシートを支持部材４に取り付けている。図示される１つのチェアに代わって、背もたれ、シート、及び連結要素を備える多数のシートモジュールを一緒に組み立て、ソファ又はシートモジュール列を形成することもできる。また、多数のシートモジュールをコーナ要素に取り付けることによって、コーナソファ等を形成することもできる。
【００１５】
図１ａは、背もたれが直立位置にあるチェアを示し、図１ｂは、背もたれが後方に傾斜した時のチェアを示している。後者の場合、シートは、いくらか、前方に押し出され、シートの前部が、図１ａの状態に対していくらか持ち上がっている。
【００１６】
図２は、構造の詳細を示すために背もたれ及びシートを連結要素から外した時のシートを側方から見た図である。連結要素は、２つの側の各々に、後溝７及び前溝９を備えている。後溝は、円弧状又は円形状の切込みとして設けられている。一方、背もたれは、円弧状又は円形状の突起６を有するブラケット５を備えている。突起６は、連結要素の溝７内において前後に摺動することができるように、溝７に係合するように構成されている。従って、溝７は、背もたれ１に対して転回点及び仮想ヒンジ点を画定する。
【００１７】
前溝９は、対応する円形状又は円弧状の貫通溝として設けられており、代替的にシートモジュールの前部の方を向く勾配を有する直線状溝として設けられていてもよい。スライドロッド２１に取り付けられた摺動スリーブ又はラグ２３（図３）が、溝９内において移動するようになっている。シートは、シートの前側下部の第１のノッチ１１によって、スライドロッドに固定されている。摺動スリーブ又はラグ２３は、スライドロッド２１の各端に取り付けられており、連結要素３の各側の前溝９に係合している。
【００１８】
図３は、背もたれがいかに連結要素に取り付けられるかを示している。背もたれ１の底のブラケット５は、円弧状突起６を備えている。２つのブラケットのこれらの突起は、互いに内方を向いている。これらの突起が後溝７に係合し、背もたれは、各ブラケットの端の貫通孔２２及び溝７の底の長手方向貫通開口８を通る係止ロッド１２によって、連結要素に係止される。開口８の長さは、背もたれの回転範囲を画定する。
【００１９】
シートの組立時に、前側ノッチ１１がスライドロッド２１の周りを掴むように、シートが下方に押される。スライドロッド２１は、バネ１３によって連結要素３の側壁間を通るクロスビーム１４に固定されている。同様に、シート２の後端において、後側ノッチ１０が係止ロッド１２（図２）を掴むように配置される。背もたれ１を後溝７内に向かって前方に押すことによって、係止ロッド１２が後側ノッチ１０内に押し込まれ、該後側ノッチ内に係止される。
【００２０】
バネ１３は、ユーザーがシートモジュールから立ち上がる時にチェアを真っすぐに伸ばすように機能する。もし多くのモジュールが列状に配置されていたなら、これによって、これらのモジュールが使用されていない時に整然と並んでいるという印象を確実にもたらすことになる。バネは、シートモジュールの摺動機能のバランスを保つと共に背もたれの適切な補強を確実にするように構成された強度を有している。また、シートが取り付けられた時、バネは、付勢力をもたらすことになる。
【００２１】
連結要素３は、好ましくは、繊維強化プラスチック複合材料の単一品として成形されるが、勿論、他の適切なポリマー材料又は金属、又は一部がポリマーで一部が金属の材料から製造されてもよい。同様に、背もたれ及びシートは、いずれも複合材のコア、発泡体によって被覆されたプラスチック、繊維及び布、又はスキン材を含んでいてもよい。代替的に、前記ブラケットは、背もたれ内に鋳込まれた金属から成っていてもよい。
【００２２】
図４は、各シートモジュールに用いられる傾斜機構の詳細を示す分解図である。傾斜機構は、多角形の断面を有する中心ビーム１５を備えている。中心ビームは、各端において固定プレート２０によって終端している。ここでは、固定プレートは、支持部材又はベース４を形成する脚にボルト締めされている。中心ビーム１５の周りに、弾性手段１６が配置されている。図示の例では、弾性手段を有するビームは、連結要素３の凹部内に持ち上がっている。この凹部は、（図３に示される）Ｕ字状クロスビーム１４の開口を形成している。中心ビームは、カバープレート１７によってＵ字状ビームの開口を閉じることによって適所に保持される。従って、Ｕ字状クロスビーム及びカバープレートは、中心ビーム及び弾性手段を囲むハウジングを形成することになる。弾性手段によって、中心ビームに対する外側ハウジングの回転運動が可能になる。中心ビーム及びカバープレートは、好ましくは、金属から成っており、弾性手段は、ゴム又は他の種類のプラスチックのような適切な弾性材料によって作製された部品から成っている。
【００２３】
前述したように、中心ビームは、多角形の断面を有している。製造上の観点から、ビームは、正方形又は矩形の断面を有すると好ましいが、原理的に、中心ビームは、どのような多角形状を有していてもよい。最も簡単な場合、中心ビームの断面は、三角形であってもよいが、他の形状、例えば、六角系、八角形、等を用いることもできる。
【００２４】
図示される例では、カバープレートは、ボルト（機械ネジ）１８及びナット１９によって取り付けられるようになっている。代替的に、ナットは、中心ビームの頂部に配置される（ボルト１８のためのネジ孔が設けられた）固定プレートによって置き換えられてもよい。更に他の代替的実施形態では、貫通ボルトに代わって、連結要素の孔に係合するネジが用いられてもよい。
【００２５】
（図示されない）傾斜機構の代替的実施形態では、開口がカバープレートに設けられ、円錐孔が中心ビームに設けられてもよい。開口は、円錐孔と向き合って該円錐孔と真っすぐに並んで配置され、これによって、傾斜機構をガスリフト式のチェアベースに容易に取り付けることができる。
【００２６】
傾斜機構は、原理的に、逆に配置されてもよい。すなわち、中心ビームが連結要素の長手方向壁間を通るように連結要素内に取り付けられるか又は含まれ、ハウジングがベースに取り付けられてもよい。
【００２７】
図４に示される傾斜機構は、好ましくは、図示されるシートモジュールに用いられるとよい。何故なら、傾斜機構が、連結要素の一部として容易に設けられるからである。しかし、他の形式の傾斜機構、例えば、トーションバネ式傾斜機構が用いられてもよい。このような傾斜機構は、オフィスチェアに一般的に用いられている。しかし、このような解決策は、容易に分かるように、連結要素にボルト締めされねばならないいくつかの構成部品及び該機構を複雑にする対応するベースを備えることになる。
【００２８】
使用時、ユーザーは、後方に体を傾け、シートを前方に滑らせる。これによって、背もたれが連結要素内に配置された溝内において前方に摺動し、図１ｂに示されるように、背もたれが後方に傾斜し、その一方、（背もたれが連結された）シートが連結要素の前溝に沿って前方に押し出される。前側軌道が配置されているので、シートの前縁がいくらか持ち上がることになる。いったんユーザーが好ましい位置を見出したなら、仮にユーザーがシートモジュールとベースとの間の傾斜リンクを介して前後に体をよじることを選択しても、シートモジュールの設置は、変動することがない。
【図１ａ】
2021500119.tif 000003
【図１ｂ】
2021500119.tif 000004
【図２】
2021500119.tif 000005
【図３】
2021500119.tif 000006
【図４】
2021500119.tif 000007
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
着座用家具に用いられるシートモジュールであって、前記シートモジュールは、背もたれ（１）、シート（２）、及び連結要素（３）を備え、前記連結要素（３）は、横断要素によって一緒に保持された２つの側壁を備え、前記連結要素（３）の後端に配置された後溝（７）及び前記連結要素（３）の前端に配置された前溝（９）を更に備え、前記後溝及び前溝（７，９）は、前記連結要素（３）の各側壁に配置されており、前記背もたれ（１）は、前記後溝（７）内に係合して前記後溝（７）内において移動するように構成されたブラケット（５）を備え、前記シート（２）の後部分は、前記背もたれ（１）に接続され、前記シート（２）の前部分は、前記前溝（９）内において移動する摺動ユニット（２１，２３）に接続されている、シートモジュールにおいて、
前記連結要素（３）は、前記後溝（７）内に位置する貫通孔（８）を備え、前記シートモジュールは、前記背もたれ（１）を前記連結要素（３）に係止するために、前記前記ブラケット（５）の貫通孔（２２）及び前記開口（８）を貫通するように構成された係止ロッド（１２）を更に備え、
前記摺動ユニットは、各端に摺動スリーブ（２３）を有するスライドロッド（２１）を備え、前記摺動スリーブ（２３）は、前記前溝（９）に係合するように構成され、
バネ（１３）が前記連結要素（３）の前記側壁間を通るクロスビーム（１４）と前記スライドロッド（２１）との間に固定されており、
前記シート（２）は、前記係止ロッド（１２）を掴むように適合された後ノッチ（１０）及び前記スライドロッド（２１）を掴むように適合された前ノッチ（１１）を備える
ことを特徴とする、シートモジュール。
【請求項２】
前記後溝（７）は、円弧状又は円形状切込みとして設けられており、前記ブラケット（５）は、前記連結要素（３）の前記溝（７）に係合するように適合された対応する円弧状又は円形状突起（６）を備え、前記前溝（９）は、円形状又は円弧状又は前記シートモジュールの前記前部の方を向く勾配を有する直線状の貫通溝として設けられている、請求項１に記載のシートモジュール。
【国際調査報告】
2021500119.tif 000008
2021500119.tif 000009